(57)【要約】【課題】塗布部の機能性の向上、精細な操作性の確保、被塗布部周囲に対する汚損の防止及び円滑な挿脱ができるようにする。【解決手段】軸部７と、表裏面に塗布面９、９を有する塗布部８とから構成し、該軸部７と塗布部８との間には、塗布部８を傾倒可能にする薄板状の屈撓部１０、及び傾倒する塗布部８の後端８’と当接して傾倒角度を制御する斜面状の傾倒制御部１１を軸部７先端に形成するので、塗布部を傾倒しても傾倒制御部１１によって傾倒は抑止、保持されるので、塗布部の機能性が向上させるとともに、塗布部を傾倒させることで軸部は被塗布部より離れ、持ち手の自由は確保されて繊細な操作及び被塗布部近傍の汚損を防止でき、しかも塗布部の円滑な挿脱を行うことができるものである。【選択図】図３
2015047360.tif 000002
【特許請求の範囲】
【請求項１】
軸部と、該軸部の先端において塗布面を有する塗布部とから構成され、
軸部と塗布部との間で、両者を一体に連結し、軸部に対して塗布部を傾倒可能とする屈撓部を形成するとともに、該屈撓部の屈撓により傾倒する塗布部と軸部とを当接させて塗布部の傾倒を抑止、保持する
ことを特徴とする化粧料塗布体。
【請求項２】
上記傾倒して互いに当接し、塗布部の傾倒を抑止、保持する塗布部と軸部とにおいて、少なくとも該塗布部と軸部のいずれか一方に形成する傾倒制御部を他方との間に介在させる
ことを特徴とする請求項１に記載の化粧料塗布体。
【請求項３】
上記傾倒する塗布部と軸部とのなす傾動角度が傾倒方向に応じて相違する
ことを特徴とする請求項１又は請求項２に記載の化粧料塗布体。
【請求項４】
上記塗布部を有する塗布面において、その一部の形状や表面状態を相違させる
ことを特徴とする請求項１、請求項２又は請求項３のうちいずれか一つに記載の化粧料塗布体。
【請求項５】
上記塗布部に有する塗布面の全面又はその一部分に対して静電植毛処理を施す
ことを特徴とする請求項１、請求項２、請求項３又は請求項４のうちいずれか一つに記載の化粧料塗布体。
【発明の詳細な説明】
【技術分野】
【０００１】
本願発明は、液状口紅やリップグロス等の液状化粧料、又はアイシャドウ等の粉状化粧料（以下、「化粧料」とする。）の塗布に使用する化粧料塗布体に関する。
【背景技術】
【０００２】
従来、上記化粧料の塗布に使用する化粧料塗布体では、少なくとも軸部先端の塗布部を、例えば軟質樹脂、エラストマー又はゴム等の軟質材からなるものとした上で、該塗布部を、軸部の軸線に沿うように、又は軸部の軸線に対して傾斜するように形成してなるものがある（特許文献１、２参照）。
【０００３】
そのため、上記化粧料塗布体において、軸部先端の塗布部を軸部の軸線に沿って形成すると、該塗布部の表面に有する塗布面も同様に軸部の軸線に沿って形成されるものである。その結果、塗布部の表裏面が塗布面となるので、化粧料の塗布量は増大し、さらに表裏面の塗布面の表面素材を異なるものとすることで多様な化粧料の塗布が可能となるので、塗布部の機能性を著しく向上させることができるものである。
【０００４】
しかしながら、上記化粧料塗布体のように軸部先端の塗布部を軸部の軸線に沿って形成するものでは、塗布部の塗布面を口唇や瞼等の被塗布部に対して密着させると、被塗布部近傍に対して軸部が著しく近接する上、該軸部を被塗布部に対して平行に持たざるを得なくなるものである。その結果、化粧料塗布体の軸部が被塗布部に近接することで、該軸部に付着している余分な化粧料によって被塗布部の周囲を汚損し、持ち手の自由が妨げられて塗布部の繊細な操作が困難になるものである。
【０００５】
さらに、上記化粧料塗布体において、軸部先端の塗布部を軸部の軸線に対して傾斜させて形成すると、該塗布部の表面に有する塗布面も同様に軸部の軸線に対して傾斜して形成されるので、塗布部の塗布面を口唇や瞼等の被塗布部に対して密着させると、被塗布部近傍に対して軸部が著しく離隔する上、該軸部を被塗布部に対して平行に持つ必要はなくなるものである。その結果、被塗布部近傍から軸部は離れるものとなるので、該軸部に付着している余分な化粧料によって被塗布部の周囲を汚損するおそれがなくなるとともに、持ち手の自由が高まることで化粧料の塗布における繊細な操作が可能になるものである。
【０００６】
しかしながら、上記化粧料塗布体のように軸部先端の塗布部を軸部の軸線に対して傾斜させて形成ものでは、塗布部の塗布面は傾斜しているので塗布面に適するのは塗布部の一面だけに限られてしまうものである。その結果、塗布部の塗布面に保持される化粧料の塗布量は減少し、さらに塗布面の表面素材を異なるものとして多様な被塗布部に対応しないので、塗布部の機能性を向上させることができないものである。
【０００７】
その上、軸部先端の塗布部が軸部の軸線に対して傾斜させて形成されていると、塗布部がシゴキを通過する抵抗が非常に大きくなるので、塗布部を円滑に挿脱させることもできないものである。
【先行技術文献】
【特許文献】
【０００８】
【特許文献１】特開２００６−９４８９２号公報
【特許文献２】特許第３８１１４５８号公報
【発明の概要】
【発明が解決しようとする課題】
【０００９】
解決しようとする問題点は、化粧料塗布体の塗布部の機能性、繊細な操作性の確保、被塗布部近傍に対する汚損の防止、及び円滑な塗布部の挿脱ができない点である。
【課題を解決するための手段】
【００１０】
第１の特徴として、
軸部と、該軸部の先端において塗布面を有する塗布部とから構成され、
軸部と塗布部との間で、両者を一体に連結し、軸部に対して塗布部を傾倒可能とする屈撓部を形成するとともに、該屈撓部の屈撓により傾倒する塗布部と軸部とを当接させて塗布部の傾倒を抑止、保持するものである。
【００１１】
そのため、塗布部の塗布面によって塗布部の化粧料の保持量を十分に確保し、塗布面の表面素材を部分的に異なるものとすることによって多様な被塗布部に対応するものとなるので、塗布部の機能性を著しく向上させることができるものである。
【００１２】
そして、塗布部の塗布面を被塗布部に密着させて押勢すると、該塗布部は軸部と塗布部との間で形成される屈撓部の屈撓によって反対方向に傾倒しつつ軸部と当接し屈撓部の屈撓は抑止され、さらに塗布部を押勢し続けることで傾倒した塗布部はそのままで保持されるものとなる。その結果、軸部は被塗布部近傍に近接しないので、持ち手の自由を十分に確保して化粧料の塗布において繊細な操作を行うことができるとともに、被塗布部近傍に対する汚損を防止できるものである。
【００１３】
その上、塗布部の挿脱に際しては、塗布部に対しての押勢がないので、塗布部を傾倒させるために屈撓していた屈撓部は弾性をもって反発して該塗布部は軸部の軸心に沿うように位置するものとなり、該塗布部とシゴキとが当接しても大きな抵抗は生じないものである。その結果、塗布部がシゴキと当接しても容易に通過して、塗布部の挿脱を円滑に行うことができるものである。
【００１４】
なお、塗布部に有する塗布面は、少なくとも一面とするものから、互いに対向するように位置して二面とするもの、及び塗布部の全体形状を円錐形状、多角錐形状、円柱状としてその側面全体を塗布面としてなるものであっても良いものである。
さらに、軸部と塗布部との間に形成される屈撓部は、塗布部と軸部とを連結するとともに、軸部に対して塗布部を傾倒可能とすれば足りるので、該屈撓部を、軸部と塗布部との間で一体に形成するものであって薄板状やコ字状とするものの他、ボールジョイントやスプリング等の技術を適用するものであっても良いものである。
ここで、例えば、塗布部の全体形状を円錐形状及び円柱形状とし、その側面を塗布面とするものでは、塗布面は全方向的となるので屈撓部の断面形状は円形状とすることが適しており、また、例えば、塗布部の全体形状を多角錐形状とし、その側面を塗布面とするものでは、塗布面には方向性が発生するので屈撓部の断面形状を該多角錐形状である塗布部の断面形状と同形状とするものが適している。その結果、塗布部の断面形状方向と屈撓部の断面形状方向とを一致させることによって、容易に屈撓部を屈撓させて塗布部を傾倒させることができるものである。
【００１５】
そこで、第１の特徴を踏まえて、第２の特徴として、
上記傾倒して互いに当接し、塗布部の傾倒を抑止、保持する塗布部と軸部とにおいて、少なくとも該塗布部と軸部のいずれか一方に形成する傾倒制御部を他方との間に介在させるものである。
【００１６】
そのため、傾倒する塗布部が軸部と当接するに当たっては、塗布部と軸部のいずれか一方に形成する傾倒制御部が他方と当接するので、屈撓部の屈撓は抑止され、塗布部を押勢し続けることで傾倒する塗布部はそのままで保持されるものとなる。その結果、被塗布部の位置等を考慮した上で、軸部又は塗布部のうち少なくともいずれか一方において形成される傾倒制御部を設定することで、傾倒して軸部と当接することとなる塗布部の傾倒角度を任意に調整して、被塗布部に対する軸部の傾倒角度を最適とするので、持ち手の自由をより十分に確保し、あらゆる被塗布部に対してより繊細な操作により化粧料の塗布を行うことができるものである。
【００１７】
そこで、第１の特徴又は第２の特徴を踏まえて、第３の特徴として、
上記傾倒する塗布部と軸部とのなす傾動角度が傾倒方向に応じて相違するものである。
【００１８】
そのため、被塗布部に対して塗布部を密着させた上で押勢すると、屈撓部の屈撓により塗布部は傾倒するとともに、塗布部の傾倒方向に応じて、異なる傾倒角度をもって傾倒する塗布部は抑止、保持されるものとなる。その結果、塗布部を被塗布部に対してどのような位置に密着させても軸部は被塗布部から確実に離れ、持ち手の自由は十分に確保されるので、塗布部の繊細な操作や被塗布近傍への汚損を防止できるものである。
【００１９】
さらに、第１の特徴、第２の特徴、又は第３の特徴を踏まえて、第４の特徴として、
上記塗布部に有する塗布面において、その一部の形状や表面状態を相違させるものである。
【００２０】
そのため、塗布部に有する塗布面の形状や表面状態が互いに相違することによって、被塗布部に対する塗布部の密着性や塗布面に保持される化粧料の量や塗布状態が相違するものとなるので、被塗布部に対して正確に対応して化粧料の最適な塗布状態を得ることができるものである。
【００２１】
そして、第１の特徴、第２の特徴、第３の特徴、又は第４の特徴を踏まえて、第５の特徴として、
上記塗布部に有する塗布面の全面又はその一部分に対して、特に静電植毛処理を施すものである。
【００２２】
そのため、塗布部に有する塗布面に施された静電植毛処理によって、該塗布面における表面摩擦や化粧料の保持量が増大するものとなる。その結果、被塗布部に対して塗布面は強く密着するとともに、さらに多量の化粧料を保持するので、被塗布面に対して化粧料を強力に密着して、しかも厚く塗布することができるものである。
【００２３】
なお、図７〜図１１では本願発明の後述する各実施例である化粧料塗布体において適宜適用される変形例を示している。
すなわち、まず図７では、塗布部と軸部との間には傾倒する塗布部の傾倒を当接によって抑止、保持する傾倒制御部がないものが示されている。その結果、軸部に対する傾倒する塗布部との当接、保持は軸部により簡易な構造によって行われるので、製造コストの削減を図ることができる。
次に、図８では、塗布部における表面の塗布面を凹面とし、裏面の塗布面を平面とするものを示している。その結果、表面における塗布面では、凹面中に化粧料が多量に保持できるので、被塗布部に対して広範囲又は厚く塗布を行うことができるとともに、裏面における平面の塗布面では、表面における塗布面によって塗布した化粧料を平滑にすることができる。
さらに図９では、表裏面に有する塗布面が平面である塗布部の塗布面方向の傾動角度が異なるものを示している。その結果、塗布部を傾動させて被塗布部に対して最適な角度で密着させて、簡易且つ正確に化粧料を塗布することができる。
そして図１０は、塗布部の屈撓を行う屈撓部がコ字状となっているものを示している。その結果、軸部等に付着した化粧料を屈撓部内を通じて排除して、化粧料の塗布時に被塗布近傍に対する汚損を確実に防止できる。
また図１１では、塗布部における表面の塗布面では突起を設け、裏面の塗布面では平面とするものを示している。その結果、表面における塗布面では、突起間で化粧料が多量に保持するものであるので、被塗布部に対して突起による刺激を与えるとともに、広範囲又は厚く均一に化粧料を塗布することができる。一方、裏面における塗布面では、表面における塗布面によって塗布した化粧料を平滑にすることができる。
【発明の効果】
【００２４】
本願発明は、軸部の先端の塗布部が、該軸部に対して所定の傾倒角度内で傾倒自在となるので、塗布部の機能性を向上させ、塗布時には被塗布部近傍から軸部が離れることによって持ち手の自由を確保して繊細な操作性を可能にし、被塗布部近傍の汚損の防止するとともに、さらに円滑な塗布部の挿脱をも可能とすることができる優れた効果を有する。
【図面の簡単な説明】
【００２５】
【図１】図１は、本願発明の実施例１である化粧料塗布体を具える化粧料容器の拡大断面図である。
【図２】図２（イ）は本願発明の実施例１である化粧料塗布体を具える化粧料容器を構成するキャップの拡大部分断面図、（ロ）は本願発明の実施例１である化粧料塗布体を具える化粧料容器を構成するキャップ先端の拡大部分側断面図である。
【図３】図３は、本願発明の実施例１である化粧料塗布体の作動状態を示す正面図である。
【図４】図４（イ）は本願発明の実施例２である化粧料塗布体の横断面図及び縦断面図、（ロ）は本願発明の実施例２である化粧料塗布体の分解状態の横断面図及び縦断面図、（ハ）は本願発明の実施例２である化粧料塗布体の作動状態を示す側面図である。
【図５】図５は化粧料塗布体の塗布部が略三角錐状である本願発明の実施例３であり、同図（イ）は本願発明の実施例３である化粧料塗布体の正面図、その屈撓部と塗布部の横断面図、先端方向からの図、及び側面図、先端方向からの図、同図（ロ）は本願発明の実施例３である化粧料塗布体の作動状態を示す側面図である。
【図６】図６は化粧料塗布体の塗布部が略涙滴形状である本願発明の実施例４であり、同図（イ）は本願発明の実施例４である化粧料塗布体の正面図、その屈撓部と塗布部の横断面図、先端方向からの図、及び同図（ロ）は本願発明の実施例４である化粧料塗布体の作動状態を示す側面図である。
【図７】図７（イ）は塗布部と軸部の間に傾動制御部がない化粧料塗布体の正面図、側面図及び裏面図、（ロ）は塗布部の作動状態を示す側面図である。
【図８】図８（イ）は塗布部の表裏面に有する塗布面が各々凹面と平面からなるものの正面図、側面図、及び裏面図、（ロ）は塗布部の作動状態を示す側面図である。
【図９】図９（イ）は塗布部の傾動角度が異なるものの正面図、側面図、及び裏面図、（ロ）は塗布部の作動状態を示す側面図である。
【図１０】図１０（イ）は塗布部と軸とを連結する屈撓部がコ字状であるものの正面図、側面図、縦断面図及び裏面図、（ロ）は塗布部の作動状態を示す側面図である。
【図１１】図１１（イ）は塗布部の表裏面に有する塗布面が各々凸起と平面からなるものの正面図、側面図、及び裏面図、（ロ）は塗布部の作動状態を示す側面図である。
【発明を実施するための形態】
【００２６】
塗布部の塗布面で保持する化粧料の増量及び多様な被塗布部への対応等の機能性の向上、繊細な操作性の確保、被塗布部周囲に対する汚損の防止、及び塗布部の円滑な挿脱を行えるように、化粧料塗布体を構成する軸部と塗布部との間に、該軸部に対して塗布部を塗布面方向に傾倒可能とする屈撓部を形成して、傾倒する塗布部と軸部とを直接、あるいは塗布部又は軸部のいずれか一方に形成する傾倒制御部を介在させて間接的に当接させるものとすることによって実現した。
【実施例１】
【００２７】
図１〜図３において示すのは、本願発明の実施例１である口紅やリップグロス等の液体化粧料１３を塗布する化粧料塗布体６を具える化粧料塗布容器１であり、該化粧料塗布容器１は、キャップ２と化粧料塗布容器本体１２とからなるものである。
【００２８】
そして、該キャップ２は、開口側内周面４に雌ネジ部３を螺設した上で、内部において径大部５’が固持される保持軸５を介して本願発明の実施例１である化粧料塗布体６を先端に保持するものである。
【００２９】
ここで、上記保持軸５の先端に保持される実施例１の化粧料塗布体６は、軸部７と、該軸部７の先端において表裏面に平面状の塗布面９、９を有する塗布部８とから構成されるものであって、該軸部７は保持軸５先端内に内挿、保持されるものである。
【００３０】
そして、該軸部７と塗布部８との間には、該軸部７に対して塗布部８を両塗布面９、９方向に傾倒可能とするように薄板状の屈撓部１０を一体に形成するとともに、傾倒する塗布部８の平面状の後端８’と当接して屈撓部１０の屈撓を抑止して該塗布部８の傾倒角度を制御する、塗布面９、９に対向し、先端方向に向かって同一の傾斜角を有してなる斜面状の傾倒制御部１１、１１を軸部７先端に形成して、介在させてなるものである。
【００３１】
なお、本実施例１の化粧料塗布体６においては、塗布部８の後端８’と当接することにより該塗布部８の傾倒角度を制御する軸部７先端に形成される斜面状の傾倒制御部１１、１１ではその傾斜角が同一であるので、塗布部８は表裏面の塗布面９、９方向に軸部７に対して最大同一角度で傾倒することができるものである。しかしながら、図９において示すように、表裏面の塗布面９、９のうち、いずれか一方の塗布面９に対向するように軸部７先端に形成される斜面状の傾倒制御部１１の位置や傾倒制御部１１の傾斜角度を変更することにより、塗布部８の後端８’と軸部７の傾倒制御部１１との当接状態が変化して軸部７を内挿、保持する保持軸に対する塗布部８の最大傾倒角度は互いに相違させることができるものである。
【００３２】
一方、化粧料塗布容器本体１２は、その内部において口紅やリップグロス等の液体化粧料１３を貯留するものであって、その上部においては外周面に上記キャップ２の開口内周面４に螺設される雌ネジ部３と螺合する雄ネジ部１５が外周面に周設する開口部１４が形成されるとともに、該開口部１４にはキャップ２内に固持される保持軸５や該保持軸５先端に保持される化粧料塗布体６の塗布部８に付着した余分な液体化粧料１３を扱いてなるシゴキ１６が装着されているものである。
【００３３】
本願発明の実施例１である化粧料塗布体６を具える化粧料塗布容器１は以上の構成であるので、使用に当たっては次のようになるものである。
まず、一体であるキャップ２と化粧料塗布容器本体１２において、雌ネジ部３と雄ネジ部１５との螺合を解くことによって、両者２，１２は自由となり、キャップ２は化粧料塗布容器本体１２から離脱可能となるものである。
次に、化粧料塗布容器本体１２よりキャップ２に保持軸５を介して保持される塗布部８を取り出すためにキャップ２を引張することによって、塗布部８は化粧料塗布容器本体１２から取り出すことができるものである。
このとき、軸部７及び塗布部８は化粧料塗布容器本体１２の開口部１４内に装着されるシゴキ１６を通過することになるものである。ここで、シゴキ１６を通過する際には塗布部８は軸部７の軸線に沿って位置するものとなる。その結果、塗布部８のシゴキ１６に対して抵抗が最も小さくなっているので、塗布部８はシゴキ１６を円滑に通過して化粧料塗布容器本体１２より取り出すことができるものである。
そして、化粧料塗布容器本体１２より取り出した化粧料塗布体６の塗布部８は、例えば被塗布部である唇に密着させて押勢すると、軸部７と塗布部８とを一体に連結する屈撓部１０は屈撓するので、塗布部８は密着した塗布面９とは反対方向に、塗布部８の平面状の後端８’と軸部７先端に形成した斜面状の傾倒制御部１１とが完全に当接するまで傾倒し、更に押勢し続けることで塗布部８はそのままで抑止、保持されるものとなる。
その結果、化粧料塗布体６を保持する保持軸５は被塗布部である唇より離れるので、持ち手の自由は確保されて液体化粧料１３の塗布において繊細な操作が可能になるとともに、唇近傍の汚損を防止することができるものとなる。
【００３４】
また、塗布部８を化粧料塗布容器本体１２内に収容する場合には、該化粧料塗布容器本体１２の開口部１４より塗布部８を挿入するものである。
そして、化粧料塗布容器本体１２の開口部１４内に挿入した塗布部８がシゴキ１６と当接しても、該塗布部８は押勢されてはいないので塗布部８を傾倒させるために屈撓していた屈撓部１０は弾性をもって反発し、該塗布部８は軸部７を内挿、保持する保持軸５の軸線に沿うように位置するものとなるので、シゴキ１６を通過するに当たっては最も抵抗が小さくなっているものである。その結果、塗布部８はシゴキ１６を容易に通過するので、化粧料塗布体６の塗布部８を円滑に化粧料塗布容器本体１２内に収容することができるものとなる。
【００３５】
従って、広範囲は又厚く液体化粧料１３を塗布するために本願発明の実施例１である化粧料塗布体６の化粧料塗布容器本体１２に対して反復して挿脱を行っても、該化粧料塗布体６の挿脱はいずれにおいても円滑に行うことができるものである。
【実施例２】
【００３６】
図４において示すのは、本願発明の実施例２であるアイシャドウ等の粉状化粧料（図示せず）を塗布する化粧料塗布体６ａを具える化粧料塗布具１７であり、該化粧料塗布具１７は、本願発明の実施例２である化粧料塗布体６ａと、該化粧料塗布体６ａを先端に保持してなる保持体１８とからなるものである。
【００３７】
ここで、上記保持体１８の先端に保持される化粧料塗布体６ａは、軸部７ａと、該軸部７ａの先端において、全体形状を略円盤状とし、その表面に対して静電植毛処理を施してなる塗布面９ａ、９ａを表裏面に有する塗布部８ａとから構成されるものであって、該軸部７ａは保持体１８先端内に内挿、保持されるものである。
【００３８】
そして、該軸部７ａと塗布部８ａとの間には、該軸部７ａに対して塗布部８ａを両塗布面９ａ、９ａ方向に傾倒可能とするように薄板状の屈撓部１０ａを一体に形成するとともに、傾倒する塗布部８ａの平面状の後端８ａ’と当接して屈撓部１０ａの屈撓を抑止して該塗布部８ａの傾倒角度を制御する、塗布面９ａ、９ａに対向し、先端方向に向かって同一の傾斜角を有してなる斜面状の傾倒制御部１１ａ、１１ａを軸部７ａ先端に形成して、介在させてなるものである。
【００３９】
なお、本実施例２の化粧料塗布体６ａにおいても、上述の実施例１の化粧料塗布体６と同様に、塗布部８ａの後端８ａ’と当接することにより該塗布部８ａの傾倒角度を制御する軸部７ａ先端に形成される斜面状の傾倒制御部１１ａ、１１ａではその傾斜角が同一であるので、塗布部８ａは表裏面の塗布面９ａ、９ａ方向に軸部７ａを内挿、保持する保持体１８に対して最大同一角度で傾倒することができるものである。しかしながら、図９において示すように、表裏面の塗布面９ａ、９ａのうち、いずれか一方の塗布面９ａに対向するように軸部７ａ先端に形成される斜面状の傾倒制御部１１ａの位置や斜面の傾斜角度を変更することにより、塗布部８ａの平面状の後端８ａ’との当接状態が変化して軸部７ａを内挿、保持する保持体１８に対する塗布部８ａの最大傾倒角度は互いに相違させることができるものである。
【００４０】
本願発明の実施例２である化粧料塗布体６ａを具える化粧料塗布具１７は以上の構成であるので、使用に当たっては次のようになるものである。
まず、化粧料塗布具１７の塗布部８ａを、例えば被塗布部である瞼に密着させて押勢すると、軸部７ａと塗布部８ａとを一体に連結する屈撓部１０ａは屈撓するので、塗布部８ａは密着した塗布面９ａとは反対方向に、塗布部８ａの後端８ａ’と軸部７ａ先端に形成した斜面状の傾倒制御部１１ａとが完全に当接するまで塗布部８ａは傾倒し、更に押勢し続けることで塗布部８ａはそのまま保持されるものとなる。
その結果、化粧料塗布体６ａを保持する保持体１８は被塗布部である瞼より離れるので、持ち手の自由が確保されて粉状化粧料の塗布において繊細な操作が可能になるとともに、瞼近傍の汚損を防止することができるものである。
【００４１】
また、化粧料塗布具１７を収容する場合には、塗布部８ａに対する押勢を止めることで、塗布部８ａを傾倒させるために屈撓していた屈撓部１０ａは弾性をもって反発し、塗布部８ａは軸部７ａを内挿、保持する保持体１８の軸線に沿って位置するようになるので、簡易かつ確実に収容することができるものである。
【実施例３】
【００４２】
図５において示すのは、本願発明の実施例３である口紅やリップグロス等の液体化粧料（図示せず）を塗布する化粧料塗布体６ｂである。
【００４３】
ここで、上記化粧料塗布体６ｂは、保持軸５先端に内挿、保持される軸部７ｂと、全体形状が略三角錐形状であって、その三側面を塗布面９ｂ、９ｂ、９ｂとする塗布部８ｂとから構成されるものである。
【００４４】
そして、該軸部と塗布部８ｂとの間には、該軸部に対して塗布部８ｂを各塗布面９ｂ、９ｂ、９ｂ方向に傾倒可能とするように三角柱形状の屈撓部１０ｂを一体に形成するとともに、傾倒する塗布部８ｂの平面状の後端８ｂ’と当接して屈撓部１０ｂの屈撓を抑止して該塗布部８ｂの傾倒角度を制御する、各塗布面方向において先端に向かって傾斜し、各塗布面９ｂ、９ｂ、９ｂに対応する斜面状の傾倒制御部１１ｂ、１１ｂ、１１ｂを軸部７ｂ先端に形成して、介在させてなるものである。
【００４５】
なお、本実施例３の化粧料塗布体６ｂにおいても、上述の実施例１及び２の化粧料塗布体６、６ａと同様に、塗布部８ｂの後端８ｂ’と当接することにより該塗布部８ｂの傾倒角度を制御する軸部７ｂ先端に形成される斜面状の傾倒制御部１１ｂ、１１ｂ、１１ｂ、ではその傾斜角が同一であるので、塗布部８ｂは表裏面の塗布面９ｂ、９ｂ、９ｂ方向に軸部に対して最大同一角度で傾倒することができるものである。しかしながら、図９において示すように、塗布面９ｂにおける軸部７ｂ先端に形成される斜面状の各傾倒制御部１１ｂ、１１ｂ、１１ｂの位置や傾斜角度を変更することによって、塗布部８ｂの平面状の後端８ｂ’との当接状態が変化して軸部７ｂに対する塗布部８ｂの最大傾倒角度は各々相違するものとすることができる。
【００４６】
本願発明の実施例３である化粧料塗布体６ｂは以上の構成であるので、使用に当たっては次のようになるものである。
まず、化粧料塗布体６ｂの塗布部８ｂを、例えば被塗布部である唇に密着させて押勢すると、軸部７ｂを内挿、保持する保持軸５と塗布部８ｂとを一体に連結する屈撓部１０ｂは屈撓するので、塗布部８ｂは密着した塗布面９ｂとは反対方向に、塗布部８ｂの後端８ｂ’と軸部７ｂ先端に突出して形成する傾倒制御部１１ｂとが完全に当接するまで塗布部８ｂは傾倒し、更に押勢し続けることで塗布部８ｂはそのまま抑止し、保持されるものとなる。
その結果、化粧料塗布体６ｂの軸部は被塗布部である唇より離れるので、持ち手の自由が確保されて液体化粧料の塗布において繊細な操作が可能になるとともに、唇近傍の汚損を防止することができるものである。
【００４７】
また、化粧料塗布体６ｂを収容する場合には、塗布部８ｂに対する押勢を止めることで、塗布部８ｂを傾倒させるために屈撓していた屈撓部１０ｂは弾性をもって反発し、塗布部８ｂは軸部７ｂを内挿、保持する保持軸５の軸線に沿って位置するようになるので、簡易かつ確実に収容することができるものである。
【実施例４】
【００４８】
図６において示すのは、本願発明の実施例４であるアイシャドウ等の粉状化粧料（図示せず）を塗布する化粧料塗布体６ｃである。
【００４９】
ここで、上記化粧料塗布体６ｃは、保持軸５に内挿、保持される軸部７ｃと、全体形状が略涙滴形状であって、その全表面を塗布面９ｃとする塗布部８ｃとから構成されるものである。
【００５０】
そして、該軸部と塗布部８ｃとの間には、該軸部７ｃを内挿、保持する保持軸５に対して塗布部８ｃを塗布面９ｃ全方向に傾倒可能とするように略円柱形状の屈撓部１０ｃを一体に形成するとともに、傾倒する塗布部８ｃの平面状の後端８ｃ’と当接して屈撓部１０ｃの屈撓を抑止して該塗布部８ｃの傾倒角度を制御する、先端方向に向かって突出する略円錐台形状である傾倒制御部１１ｃを軸部先端に形成して、介在させてなるものである。
【００５１】
なお、本実施例４の化粧料塗布体６ｃにおいても、上述の実施例１、２及び３の化粧料塗布体６、６ａ、６ｂと同様に、塗布部８ｃの後端８ｃ’と当接することにより該塗布部８ｃの傾倒角度を制御する軸部７ｃ先端に形成される傾倒制御部１１ｃは先端に向かって突出する略円錐台形状であって、その全側周面が斜面状となっているので、塗布部８ｃはその全表面の塗布面９ｃ全方向に軸部７ｃを内挿、保持する保持軸５に対して最大同一角度で傾倒することができるものである。しかしながら、軸部７ｃ先端に形成される先端に向かって突出する円錐台形状であって、その全側周面の斜面状である傾倒制御部１１ｃの一部斜面の角度を変更することにより、塗布部８ｃの平面状の後端８ｃ’との当接状態が変化して軸部７ｃを内挿、保持する保持軸５に対する塗布部８ｃの最大傾倒角度はその他の部分と相違するものとすることができる。
【００５２】
本願発明の実施例４である化粧料塗布体６ｃは以上の構成であるので、使用に当たっては次のようになるものである。
まず、化粧料塗布体６ｃの塗布部８ｃを、例えば被塗布部である瞼に密着させて押勢すると、軸部７ｃと塗布部８ｃとを一体に連結する屈撓部１０ｃは屈撓するので、塗布部８ｃは押勢方向とは反対方向に、塗布部８ｃの後端８ｃ’と軸部７ｃ先端に形成した傾倒制御部１１ｃとが完全に当接するまで塗布部８ｃは傾倒し、更に押勢し続けることで塗布部８ｃはそのまま抑止し、保持されるものとなる。
その結果、化粧料塗布体６ｃの軸部７ｃは被塗布部である瞼より離れるので、持ち手の自由が確保されて粉状化粧料の塗布において繊細な操作が可能になるとともに、瞼近傍の汚損を防止することができるものである。
【００５３】
また、化粧料塗布体６ｃを収容する場合には、塗布部８ｃに対する押勢を止めることで、塗布部８ｃを傾倒させるために屈撓していた屈撓部１０ｃは弾性をもって反発し、塗布部８ｃは軸部７ｃを内挿、保持する保持軸５の軸線に沿って位置するようになるので、簡易かつ確実に収容することができるものである。
【符号の説明】
【００５４】
１    化粧料塗布容器
２    キャップ
３    雌ネジ部
４    開口側内周面
５    保持軸
５’    径大部
６、６ａ、６ｂ、６ｃ    化粧料塗布体
７、７ａ、７ｂ、７ｃ    軸部
８、８ａ、８ｂ、８ｃ    塗布部
８’、８ａ’、８ｂ’、８ｃ’  後端
９、９ａ、９ｂ、９ｃ    塗布面
１０、１０ａ、１０ｂ、１０ｃ    屈撓部
１１、１１ａ、１１ｂ、１１ｃ    傾倒制御部
１２    化粧料塗布容器本体
１３    液体化粧料
１４    開口部
１５    雄ネジ部
１６    シゴキ
１７    化粧料塗布具
１８    保持体
【図１】
2015047360.tif 000003
【図２】
2015047360.tif 000004
【図３】
2015047360.tif 000005
【図４】
2015047360.tif 000006
【図５】
2015047360.tif 000007
【図６】
2015047360.tif 000008
【図７】
2015047360.tif 000009
【図８】
2015047360.tif 000010
【図９】
2015047360.tif 000011
【図１０】
2015047360.tif 000012
【図１１】
2015047360.tif 000013